(57)【特許請求の範囲】
【請求項１】
マスク膜を用いて凹部を形成する基板のエッチングにおいて前記凹部のエッチング量を算出するエッチング量算出方法であって、
前記基板に光を照射する照射ステップと、
少なくとも前記マスク膜からの反射光及び前記凹部の底からの反射光の干渉光が他の干渉光に重畳された重畳干渉光を受光する受光ステップと、
前記受光された重畳干渉光から重畳干渉波を算出する干渉波算出ステップと、
前記重畳干渉波から所定期間の波形を抽出する波形抽出ステップと、
前記抽出された波形に周波数解析を施す周波数解析ステップと、
前記周波数解析によって得られた周波数分布から前記マスク膜からの反射光及び前記凹部の底からの反射光の干渉波の周期を検出する干渉周期検出ステップと、
前記所定期間を所定時間だけずらしつつ前記干渉波算出ステップ、前記波形抽出ステップ、前記周波数解析ステップ及び前記干渉周期検出ステップを繰り返し、繰り返しの度に前記検出された干渉波の周期を積算平均する積算平均ステップと、
前記積算平均された干渉波の周期に基づいて前記凹部のエッチング量を算出するエッチング量算出ステップとを有することを特徴とするエッチング量算出方法。
【請求項２】
前記所定期間は、前記マスク膜からの反射光及び前記凹部の底からの反射光の干渉波よりも周期が長い前記他の干渉光の波形の１周期よりも大きいことを特徴とする請求項１記載のエッチング量算出方法。
【請求項３】
前記他の干渉光の波形の周期が前記マスク膜からの反射光及び前記凹部の底からの反射光の干渉波の周期よりも長い場合に、前記周波数解析ステップに先立って、前記重畳干渉波から抽出された所定期間の波形から前記他の干渉光の波形が占める部分の殆どを除去する解析前処理ステップをさらに有し、
前記周波数解析ステップでは、前記他の干渉光の波形が占める部分の殆どが除去された波形に周波数解析を施すことを特徴とする請求項１又は２記載のエッチング量算出方法。
【請求項４】
前記解析前処理ステップでは、前記抽出された波形から、該抽出された波形を二次多項式で近似した波形を除去することを特徴とする請求項３記載のエッチング量算出方法。
【請求項５】
前記所定期間は前記他の干渉光の波形の１／４周期以下であることを特徴とする請求項３又は４記載のエッチング量算出方法。
【請求項６】
前記基板の表面における前記凹部の開口率が０．５％以下であるか、又は前記凹部がディープトレンチであることを特徴とする請求項３乃至５のいずれか１項に記載のエッチング量算出方法。
【請求項７】
前記周波数解析では最大エントロピー法を用いることを特徴とする請求項１乃至６のいずれか１項に記載のエッチング量算出方法。
【請求項８】
前記周波数分布から検出された前記干渉波の周期が異常値に該当する場合には該干渉波の周期を除去する干渉周期修正ステップをさらに有することを特徴とする請求項１乃至７のいずれか１項に記載のエッチング量算出方法。
【請求項９】
前記干渉周期修正ステップでは、前記異常値に該当する前記干渉波の周期が求められた前記所定期間の前の前記所定期間又は後の前記所定期間から求められる前記干渉波の周期を、前記異常値に該当する前記干渉波の周期が求められた前記所定期間の干渉波の周期とみなすことを特徴とする請求項８記載のエッチング量算出方法。
【請求項１０】
前記マスク膜からの反射光及び前記凹部の底からの反射光の干渉波の周期を予め予測し、
前記干渉周期検出ステップでは、前記周波数解析によって得られた周波数分布において、前記予測された周期近傍から前記マスク膜からの反射光及び前記凹部の底からの反射光の干渉波の周期を検出することを特徴とする請求項１乃至９のいずれか１項に記載のエッチング量算出方法。
【請求項１１】
前記他の干渉光は、前記マスク膜の表面からの反射光、並びに前記マスク膜及び前記基板の表面の境界面からの反射光の干渉光であることを特徴とする請求項１乃至１０のいずれか１項に記載のエッチング量算出方法。
【請求項１２】
マスク膜を用いて凹部を形成する基板のエッチングにおいて前記凹部のエッチング量を算出するエッチング量算出方法をコンピュータに実行させるプログラムを格納するコンピュータで読み取り可能な記憶媒体であって、前記エッチング量算出方法は、
前記基板に光を照射する照射ステップと、
少なくとも前記マスク膜からの反射光及び前記凹部の底からの反射光の干渉光が他の干渉光に重畳された重畳干渉光を受光する受光ステップと、
前記受光された重畳干渉光から重畳干渉波を算出する干渉波算出ステップと、
前記重畳干渉波から所定期間の波形を抽出する波形抽出ステップと、
前記抽出された波形に周波数解析を施す周波数解析ステップと、
前記周波数解析によって得られた周波数分布から前記マスク膜からの反射光及び前記凹
部の底からの反射光の干渉波の周期を検出する干渉周期検出ステップと、
前記所定期間を所定時間だけずらしつつ前記干渉波算出ステップ、前記波形抽出ステップ、前記周波数解析ステップ及び前記干渉周期検出ステップを繰り返し、繰り返しの度に前記検出された干渉波の周期を積算平均する積算平均ステップと、
前記積算平均された干渉波の周期に基づいて前記凹部のエッチング量を算出するエッチング量算出ステップとを有することを特徴とする記憶媒体。
【請求項１３】
マスク膜を用いて凹部を形成する基板のエッチングにおいて前記凹部のエッチング量を算出するエッチング量算出装置において、
前記基板に光を照射する照射部と、
少なくとも前記マスク膜からの反射光及び前記凹部の底からの反射光の干渉光が他の干渉光に重畳された重畳干渉光を受光する受光部と、
前記受光された重畳干渉光から重畳干渉波を算出する干渉波算出部と、
前記重畳干渉波から所定期間の波形を抽出する波形抽出部と、
前記抽出された波形に周波数解析を施す周波数解析部と、
前記周波数解析によって得られた周波数分布から前記マスク膜からの反射光及び前記凹部の底からの反射光の干渉波の周期を検出する干渉周期検出部と、
前記所定期間を所定時間だけずらしつつ前記重畳干渉波の算出、前記所定期間の波形の抽出、前記周波数解析及び前記干渉波の周期の検出を繰り返し、繰り返しの度に前記検出された干渉波の周期を積算平均する積算平均部と、
前記積算平均された干渉波の周期に基づいて前記凹部のエッチング量を算出するエッチング量算出部とを備えることを特徴とするエッチング量算出装置。
【発明の詳細な説明】
【技術分野】
【０００１】
本発明は、エッチング量算出方法、記憶媒体及びエッチング量算出装置に関し、特にマスク膜を用いてウエハ上にトレンチやホール等の凹部を形成する際のエッチング量算出方法に関する。
【背景技術】
【０００２】
半導体デバイスの製造工程では、ウエハにおいてマスク膜を用いて被エッチング層にトレンチやホールを形成するエッチングが行われている。エッチングではマスク膜で覆われていない部分の被エッチング層がプラズマによって物理的・化学的に削られていくが、トレンチの形成では該トレンチの深さを制御する必要がある。したがって、エッチング中にトレンチの深さ、すなわち、エッチング量を算出する必要があるが、従来、エッチング量の算出方法としては光の干渉を利用する方法が広く用いられている。
【０００３】
図２２は、エッチング中における光の干渉を説明するための図である。
【０００４】
図２２において、被エッチング層１３０上に形成されたマスク膜１３１を有するウエハＷにはエッチングによってトレンチ１３２が形成されているが、該ウエハＷへレーザ光Ｌ１を照射すると、マスク膜１３１の表面からの反射光Ｌ２、マスク膜１３１及び被エッチング層１３０の境界面からの反射光Ｌ３及びトレンチ１３２の底からの反射光Ｌ４が生じる。
【０００５】
反射光Ｌ２〜Ｌ４を検出器で受光する際、図２２に示すように、各反射光の光路長がマスク膜１３１の厚さやトレンチ１３２の深さ分だけ異なるため、検出器の受光面では各反射光の位相が異なり、干渉光（例えば、反射光Ｌ２及び反射光Ｌ４の干渉光（以下「トレンチ干渉光」という。）や反射光Ｌ２及び反射光Ｌ３の干渉光（以下「マスク膜干渉光」という。））が発生する。
【０００６】
そして、エッチング中においてトレンチ１３２の深さは時々刻々と変化するため、反射光Ｌ２と反射光Ｌ４の光路長差も時々刻々と変化して干渉光の強度が変化する、すなわち、反射光Ｌ２と反射光Ｌ４から干渉波（以下「トレンチ干渉波」という。）が発生する。干渉波の周期はトレンチ１３２の深さの変化速度（エッチングレート）によって決定されるため、干渉波の周期からエッチングレートを算出し、さらには算出されたエッチングレートとエッチング時間とからエッチング量（トレンチ１３２の深さ）を算出することができる。
【０００７】
ところで、エッチング中ではマスク膜１３１も微量ずつエッチングされて厚さが変化するため、反射光Ｌ２及び反射光Ｌ３からも干渉波（以下「マスク膜干渉波」という。）が発生する。各干渉波は同一の検出器に検出されるため、該検出器が検出した干渉波は異なる周期を有する複数の干渉波が重畳されたもの（以下、「重畳干渉波」という。）となる（図２３参照。）。
【０００８】
図２３に示すような重畳干渉波からトレンチ１３２の深さ（被エッチング層１３０のエッチング量）を算出するには、重畳干渉波からトレンチ干渉波を分離する必要がある。
【０００９】
図２３の重畳干渉波では短周期の干渉波と長周期の干渉波が比較的明確に分離可能である。ここで、エッチング中におけるトレンチ１３２の深さの変化速度がマスク膜１３１の厚さの変化速度よりも大きいため、トレンチ干渉波はマスク膜干渉波よりも周期が短い。したがって、図２３の重畳干渉波における短周期の干渉波がトレンチ干渉波であり、短周期の干渉波における極値間の時間（図中の「Δｔ」）からトレンチ干渉波の周期を容易に算出することができる。
【００１０】
重畳干渉波から極値間の時間を読み取る方法では、重畳干渉波において短周期の干渉波と長周期の干渉波が比較的明確に分離可能である必要があるため、短周期の干渉波と長周期の干渉波が分離困難な重畳干渉波ではトレンチ干渉波の周期を算出することができない。また、短周期の干渉波における極値間ではトレンチ干渉波の周期が一定であると見なすため、算出されるトレンチ干渉波の周期（被エッチング層１３０のエッチングレート）は、図２４に示すように、段々状になる。すなわち、重畳干渉波から極値間の時間を読み取る方法は分解能が低い。
【００１１】
そこで、近年、重畳干渉波から極値間の時間を読み取ることなく周波数解析によってトレンチ干渉波の周期を算出する方法が開発されている。この方法では、重畳干渉波から周波数解析（例えば、高速フーリエ変換法）によって周波数分布（図２６（Ａ）参照。）を得て、該周波数分布からトレンチ干渉波の周期を検出する（例えば、特許文献１参照。）。
【特許文献１】特開平２−７１５１７号公報
【発明の開示】
【発明が解決しようとする課題】
【００１２】
しかしながら、図２５に示すように、重畳干渉波においてレーザ光源や検出器の異常（図中「Ｉ」）又はマスク膜干渉波とトレンチ干渉波の干渉による見かけの周期変化（図中「II」）等の外乱が重畳干渉波に加わることがある。上述した周波数解析を用いる方法ではエッチング中の全時間に亘る重畳干渉波を解析して得られた周波数分布からトレンチ干渉波の周期を検出するだけなので、外乱が重畳干渉波に加わった場合、本来存在しない干渉周期にピークが発生する等して周波数分布が不正確になり（図２６（Ｂ）参照。）、その結果、エッチング量の算出を安定して正確に行うことができない。
【００１３】
本発明の目的は、外乱が加わってもエッチング量の算出を安定して正確に行うことができるエッチング量算出方法、記憶媒体及びエッチング量算出装置を提供することにある。
【課題を解決するための手段】
【００１４】
上記目的を達成するために、請求項１記載のエッチング量算出方法は、マスク膜を用いて凹部を形成する基板のエッチングにおいて前記凹部のエッチング量を算出するエッチング量算出方法であって、前記基板に光を照射する照射ステップと、少なくとも前記マスク膜からの反射光及び前記凹部の底からの反射光の干渉光が他の干渉光に重畳された重畳干渉光を受光する受光ステップと、前記受光された重畳干渉光から重畳干渉波を算出する干渉波算出ステップと、前記重畳干渉波から所定期間の波形を抽出する波形抽出ステップと、前記抽出された波形に周波数解析を施す周波数解析ステップと、前記周波数解析によって得られた周波数分布から前記マスク膜からの反射光及び前記凹部の底からの反射光の干渉波の周期を検出する干渉周期検出ステップと、前記所定期間を所定時間だけずらしつつ前記干渉波算出ステップ、前記波形抽出ステップ、前記周波数解析ステップ及び前記干渉周期検出ステップを繰り返し、繰り返しの度に前記検出された干渉波の周期を積算平均する積算平均ステップと、前記積算平均された干渉波の周期に基づいて前記凹部のエッチング量を算出するエッチング量算出ステップとを有することを特徴とする。
【００１５】
請求項２記載のエッチング量算出方法は、請求項１記載のエッチング量算出方法において、前記所定期間は、前記マスク膜からの反射光及び前記凹部の底からの反射光の干渉波よりも周期が長い前記他の干渉光の波形の１周期よりも大きいことを特徴とする。
【００１６】
請求項３記載のエッチング量算出方法は、請求項１又は２記載のエッチング量算出方法において、前記他の干渉光の波形の周期が前記マスク膜からの反射光及び前記凹部の底からの反射光の干渉波の周期よりも長い場合に、前記周波数解析ステップに先立って、前記重畳干渉波から抽出された所定期間の波形から前記他の干渉光の波形が占める部分の殆どを除去する解析前処理ステップをさらに有し、前記周波数解析ステップでは、前記他の干渉光の波形が占める部分の殆どが除去された波形に周波数解析を施すことを特徴とする。
【００１７】
請求項４記載のエッチング量算出方法は、請求項３記載のエッチング量算出方法において、前記解析前処理ステップでは、前記抽出された波形から、該抽出された波形を二次多項式で近似した波形を除去することを特徴とする。
【００１８】
請求項５記載のエッチング量算出方法は、請求項３又は４記載のエッチング量算出方法において、前記所定期間は前記他の干渉光の波形の１／４周期以下であることを特徴とする。
【００１９】
請求項６記載のエッチング量算出方法は、請求項３乃至５のいずれか１項に記載のエッチング量算出方法において、前記基板の表面における前記凹部の開口率が０．５％以下であるか、又は前記凹部がディープトレンチであることを特徴とする。
【００２０】
請求項７記載のエッチング量算出方法は、請求項１乃至６のいずれか１項に記載のエッチング量算出方法において、前記周波数解析では最大エントロピー法を用いることを特徴とする。
【００２１】
請求項８記載のエッチング量算出方法は、請求項１乃至７のいずれか１項に記載のエッチング量算出方法において、前記周波数分布から検出された前記干渉波の周期が異常値に該当する場合には該干渉波の周期を除去する干渉周期修正ステップをさらに有することを特徴とする。
【００２２】
請求項９記載のエッチング量算出方法は、請求項８記載のエッチング量算出方法において、前記干渉周期修正ステップでは、前記異常値に該当する前記干渉波の周期が求められた前記所定期間の前の前記所定期間又は後の前記所定期間から求められる前記干渉波の周期を、前記異常値に該当する前記干渉波の周期が求められた前記所定期間の干渉波の周期とみなすことを特徴とする。
【００２３】
請求項１０記載のエッチング量算出方法は、請求項１乃至９のいずれか１項に記載のエッチング量算出方法において、前記マスク膜からの反射光及び前記凹部の底からの反射光の干渉波の周期を予め予測し、前記干渉周期検出ステップでは、前記周波数解析によって得られた周波数分布において、前記予測された周期近傍から前記マスク膜からの反射光及び前記凹部の底からの反射光の干渉波の周期を検出することを特徴とする。
【００２４】
請求項１１記載のエッチング量算出方法は、請求項１乃至１０のいずれか１項に記載のエッチング量算出方法において、前記他の干渉光は、前記マスク膜の表面からの反射光、並びに前記マスク膜及び前記基板の表面の境界面からの反射光の干渉光であることを特徴とする。
【００２５】
上記目的を達成するために、請求項１２記載の記憶媒体は、マスク膜を用いて凹部を形成する基板のエッチングにおいて前記凹部のエッチング量を算出するエッチング量算出方法をコンピュータに実行させるプログラムを格納するコンピュータで読み取り可能な記憶媒体であって、前記エッチング量算出方法は、前記基板に光を照射する照射ステップと、少なくとも前記マスク膜からの反射光及び前記凹部の底からの反射光の干渉光が他の干渉光に重畳された重畳干渉光を受光する受光ステップと、前記受光された重畳干渉光から重畳干渉波を算出する干渉波算出ステップと、前記重畳干渉波から所定期間の波形を抽出する波形抽出ステップと、前記抽出された波形に周波数解析を施す周波数解析ステップと、前記周波数解析によって得られた周波数分布から前記マスク膜からの反射光及び前記凹部の底からの反射光の干渉波の周期を検出する干渉周期検出ステップと、前記所定期間を所定時間だけずらしつつ前記干渉波算出ステップ、前記波形抽出ステップ、前記周波数解析ステップ及び前記干渉周期検出ステップを繰り返し、繰り返しの度に前記検出された干渉波の周期を積算平均する積算平均ステップと、前記積算平均された干渉波の周期に基づいて前記凹部のエッチング量を算出するエッチング量算出ステップとを有することを特徴とする。
【００２６】
上記目的を達成するために、請求項１３記載のエッチング量算出装置は、マスク膜を用いて凹部を形成する基板のエッチングにおいて前記凹部のエッチング量を算出するエッチング量算出装置において、前記基板に光を照射する照射部と、少なくとも前記マスク膜からの反射光及び前記凹部の底からの反射光の干渉光が他の干渉光に重畳された重畳干渉光を受光する受光部と、前記受光された重畳干渉光から重畳干渉波を算出する干渉波算出部と、前記重畳干渉波から所定期間の波形を抽出する波形抽出部と、前記抽出された波形に周波数解析を施す周波数解析部と、前記周波数解析によって得られた周波数分布から前記マスク膜からの反射光及び前記凹部の底からの反射光の干渉波の周期を検出する干渉周期検出部と、前記所定期間を所定時間だけずらしつつ前記重畳干渉波の算出、前記所定期間の波形の抽出、前記周波数解析及び前記干渉波の周期の検出を繰り返し、繰り返しの度に前記検出された干渉波の周期を積算平均する積算平均部と、前記積算平均された干渉波の周期に基づいて前記凹部のエッチング量を算出するエッチング量算出部とを備えることを特徴とする。
【発明の効果】
【００２７】
請求項１記載のエッチング量算出方法、請求項１２記載の記憶媒体及び請求項１３記載のエッチング量算出装置によれば、所定期間を所定時間だけずらしつつ重畳干渉波の算出、所定期間の波形の抽出、周波数解析、並びにマスク膜からの反射光及び凹部の底からの反射光の干渉波の周期の検出を繰り返し、繰り返しの度に検出された干渉波の周期を積算平均し、積算平均された干渉波の周期に基づいて凹部のエッチング量を算出する。したがって、例え、抽出された或る所定期間の波形に外乱が加わる場合であっても、当該或る所定期間の波形に基づいて検出された干渉波の周期は、他の所定期間の波形に基づいて検出された干渉波の周期と積算平均されるので、外乱が加わった所定期間の波形に基づいて検出された干渉波の周期が、積算平均される干渉波の周期に及ぼす影響を小さくすることができ、もって、外乱が加わってもエッチング量の算出を安定して正確に行うことができる。
【００２８】
請求項２記載のエッチング量算出方法によれば、上記所定期間は、マスク膜からの反射光及び凹部の底からの反射光の干渉波よりも周期が長い他の干渉光の波形の１周期よりも大きいので、所定期間の波形の周波数解析の信頼性を向上することができ、もって、エッチング量の算出をより正確に行うことができる。
【００２９】
請求項３記載のエッチング量算出方法によれば、他の干渉光の波形の周期がマスク膜からの反射光及び凹部の底からの反射光の干渉波の周期よりも長い場合に、周波数解析に先立って、重畳干渉波から抽出された所定期間の波形から他の干渉光の波形が占める部分の殆どが除去されるので、凹部の底からの反射光の光量が少ない場合であって、他の干渉光の波形が重畳干渉波の殆どを占める場合であっても、除去後の波形においてマスク膜からの反射光及び凹部の底からの反射光の干渉波が占める部分の割合を大きくすることができ、もって、周波数解析においてマスク膜からの反射光及び凹部の底からの反射光の干渉波の周期を正確に算出することができる。
【００３０】
請求項４記載のエッチング量算出方法によれば、周波数解析に先立って抽出された波形から、該抽出された波形を二次多項式で近似した波形が除去される。凹部の底からの反射光の光量が少ない場合であって、他の干渉光の波形が重畳干渉波の殆どを占める場合、重畳干渉波の波形は他の干渉光の波形とほぼ等しくなるので、抽出された重畳干渉波を二次多項式で近似した波形も他の干渉光の波形とほぼ等しくなる。したがって、抽出された波形から他の干渉光の波形が占める部分の殆どを確実に除去することができる。
【００３１】
請求項５記載のエッチング量算出方法によれば、上記所定期間は他の干渉光の波形の１／４周期以下である。重畳干渉波の殆どを占める他の干渉光の波形は正弦波に近いので、他の干渉光の波形の１／４周期以下の部分を抽出すれば、該抽出された波形は二次多項式によって正確に近似することができる。これにより、抽出された波形から他の干渉光の波形が占める部分の殆どを正確に除去することができる。
【００３２】
請求項７記載のエッチング量算出方法によれば、周波数解析では最大エントロピー法を用いるので、所定期間の波形の数が少なくても周波数解析の信頼性を向上することができ、もって、エッチング量の算出をより正確に行うことができる。
【００３３】
請求項８記載のエッチング量算出方法によれば、周波数分布から検出された干渉波の周期が異常値に該当する場合には該干渉波の周期を除去するので、外乱が加わった所定期間の波形に基づいて検出された干渉波の周期の積算平均される干渉波の周期に対する影響を除去することができ、もって、外乱が加わってもエッチング量の算出をより安定して正確に行うことができる。
【００３４】
請求項９記載のエッチング量算出方法によれば、異常値に該当する干渉波の周期が求められた所定期間の前の所定期間又は後の所定期間から求められる干渉波の周期を、異常値に該当する干渉波の周期が求められた所定期間の干渉波の周期とみなすので、外乱が加わった所定期間の波形に基づいて検出された干渉光の影響を確実に除去することができる。
【００３５】
請求項１０記載のエッチング量算出方法によれば、マスク膜からの反射光及び凹部の底からの反射光の干渉波の周期を予め予測し、所定期間の波形の周波数解析によって得られた周波数分布において、予測された周期近傍から干渉波の周期を検出するので、干渉波の周期の検出を迅速に行うことができるとともに、異常値が検出されるのを抑制することができる。
【発明を実施するための最良の形態】
【００３６】
以下、本発明の実施の形態について図面を参照しながら説明する。
【００３７】
まず、本発明の第１の実施の形態に係るエッチング量算出方法及びエッチング量算出方法が適用される基板処理装置について説明する。この基板処理装置は基板としての半導体ウエハ（以下、単に「ウエハ」という。）Ｗにプラズマを用いたエッチングを施すように構成されている。なお、ウエハＷは、前述の図２２に示すように、被エッチング層１３０と、該被エッチング層１３０上に所定のパターンで形成されたマスク膜１３１とを有する。
【００３８】
図１は、本実施の形態に係るエッチング量算出方法が適用される基板処理装置の構成を概略的に示す断面図である。
【００３９】
図１において、基板処理装置１０は、例えば、アルミニウム等の導電性材料からなる処理室１１と、ウエハＷを載置する載置台として処理室１１内の底面に配設される下部電極１２と、該下部電極１２の上方に所定の間隔を隔てて配設されたシャワーヘッド１３とを備える。
【００４０】
処理室１１の下部には真空排気装置（図示しない）が接続された排気部１４が接続され、下部電極１２には整合器１５を介して高周波電源１６が接続され、シャワーヘッド１３の内部のバッファ室１７には処理ガス導入管１８が接続され、該処理ガス導入管１８には処理ガス供給装置１９が接続されている。シャワーヘッド１３は下部において、バッファ室１７と、シャワーヘッド１３及び下部電極１２の間の空間である処理空間Ｓとを連通させる複数のガス穴２０を有する。シャワーヘッド１３は、処理ガス導入管１８からバッファ室１７に導入された処理ガスを、複数のガス穴２０を介して処理空間Ｓに供給する。
【００４１】
この基板処理装置１０では、排気部１４によって処理室１１内を所定の真空度まで減圧した後、下部電極１２から処理空間Ｓに高周波電圧を印加した状態で、シャワーヘッド１３から処理空間Ｓへ処理ガスを供給し、処理空間Ｓにおいて処理ガスからプラズマを発生させる。該発生したプラズマは、ウエハＷにおいてマスク膜１３１に覆われていない被エッチング層１３０に衝突・接触して該被エッチング層１３０をエッチングし、該被エッチング層１３０にトレンチ１３２（凹部）を形成する。
【００４２】
処理室１１内のシャワーヘッド１３には下部電極１２に載置されたウエハＷを上方から観測するためのモニタ装置２１が配設されている。モニタ装置２１は円筒状の部材からなり、シャワーヘッド１３を貫通する。モニタ装置２１の上端には石英ガラス等の透明体からなる窓部材２２が設けられている。また、処理室１１の上方にはモニタ装置２１の上端と集光レンズ２３を介して対向する光ファイバ２４が配置されている。
【００４３】
光ファイバ２４は、被エッチング層１３０のエッチング量を算出するエッチング量算出装置２５に接続されている。エッチング量算出装置２５は、光ファイバ２４にそれぞれ接続されたレーザ光源２６（照射部）及び検出器２７（受光部）と、検出器２７に接続された演算部２８（干渉波算出部、波形抽出部、周波数解析部、干渉周期検出部、積算平均部、エッチング量算出部）とを備え、基板処理装置１０のコントローラ２９の制御下で作動する。レーザ光源２６としては、例えば、半導体レーザが用いられる。また、検出器２７としては、例えば、ホトマルやフォトダイオードが用いられる。なお、コントローラ２９は、演算部２８だけでなく、基板処理装置１０の各構成要素、例えば、高周波電源１６にも接続され、各構成要素の動作を制御する。
【００４４】
エッチング量算出装置２５は、レーザ光源２６からのレーザ光を光ファイバ２４、集光レンズ２３及びモニタ装置２１を介して下部電極１２上のウエハＷに向けて照射するとともに、ウエハＷからの反射光、即ち、トレンチ干渉光（マスク膜からの反射光及び凹部の底からの反射光の干渉光）やマスク膜干渉光（他の干渉光）が重畳された重畳干渉光を、光ファイバ２４等を介して検出器２７によって受光する。検出器２７によって受光された重畳干渉光は電気信号に変換されて演算部２８に送信される。
【００４５】
演算部２８は受信した電気信号に基づいて重畳干渉光から重畳干渉波を算出する。また、演算部２８は、算出された重畳干渉波に基づいて、後述する図６のエッチング量算出方法を実行してトレンチ１３２のエッチング量を算出する。
【００４６】
ところで、エッチングではエッチングレートが一定ではなく、種々の要因（処理空間Ｓの圧力の変化や高周波電圧の乱れ）によって変化する。特に、アスペクト比の大きいトレンチ（例えば、ディープトレンチ）をエッチングにて形成する場合には、トレンチ１３２のエッチング量（エッチング深さ）が大きくなると、トレンチ１３２の入り口にデポが付着してトレンチ１３２内へのプラズマの進入が抑制されるため、エッチングレートが低下する（図２参照。）。また、図２に示すように、エッチングレートは微小変化を繰り返すため、トレンチ１３２のエッチング量を正確に算出するには小刻みにエッチングレートを算出する必要がある。
【００４７】
エッチングにおいて小刻みにエッチングレートを算出するには、通常、ウエハＷからの反射光の波形を各タイミングにおいて微分すればよいが、上述したように、ウエハＷからの反射光はトレンチ干渉光やマスク膜干渉光が重畳された重畳干渉光であるため、単純に反射光の波形を各タイミングにおいて微分してもトレンチ１３２のエッチングレートを正確に求めることができない。
【００４８】
そこで、本実施の形態では周波数解析を行い、重畳干渉波からトレンチ干渉波の周期（以下、「トレンチ干渉周期」という。）を算出する。また、周波数解析では一定以上のデータ長、具体的には、解析対象の波形の１周期以上のデータ長を用いることが周波数解析の信頼性向上に寄与することから、あるタイミングのエッチングレートを求めるために、本実施の形態では、重畳干渉波から所定期間の波形を抽出し、該抽出された波形を周波数解析する。また、上述したように、エッチングレートはトレンチ干渉周期と関連があるため、本実施の形態では、抽出された波形から、まず、トレンチ干渉周期を求め、該トレンチ干渉波からエッチングレートを算出する。
【００４９】
図３は、本実施の形態に係るエッチング量算出方法における重畳干渉波からの所定期間の波形の抽出を説明するための図である。
【００５０】
図３において、重畳干渉波３０は約３０秒周期で振動しているので、上記所定期間を３０秒間に設定する。ここでは、タイミングＡのトレンチ干渉周期を求めるために、タイミングＡから３０秒前までの期間３１における重畳干渉波３０の波形（図中の四角形で囲った部分の波形）を抽出する。なお、本実施の形態では上記所定期間を以下「窓」と称する。窓３１は始点３２及び終点３３を有し、始点３２はタイミングＡから３０秒前に該当し、終点３３はタイミングＡに該当する。
【００５１】
そして、本実施の形態では、抽出された窓３１の波形に周波数解析を施す。ここで、抽出された波形はせいぜい１周期分であるため、解析方法として最大エントロピー法を用いる。最大エントロピー法は観測現象の周波数分布を極めて短い測定時間の測定結果から高分解能で算出する方法であり（「科学計算のための波形データ処理」（ＣＱ出版社，昭和６１年４月３０日初版発行）参照。）、解析対象の波形の数をさほど必要としないため、何周期分もの波形を必要とする高速フーリエ変換法よりも本実施の形態に係るエッチング量算出方法に適している。
【００５２】
図４は、図３における窓の波形から最大エントロピー法を用いた周波数解析によって得られた周波数分布を示す図である。
【００５３】
重畳干渉波３０には主としてトレンチ干渉波とマスク膜干渉波の２つが含まれているため、窓３１の波形から得られる周波数分布には、図４に示すように、ピークを示す周波数（干渉波の周期）が主として２つ（図４では約０．０１２Ｈｚと約０．０３７Ｈｚ）存在する。ここで、上述したように、トレンチ干渉波はマスク膜干渉波よりも周期が短い（周波数が高い）ため、約０．０３７Ｈｚの周波数がトレンチ干渉周期に該当する。そこで、約０．０３７Ｈｚの周波数をトレンチ干渉周期として検出する。このように、本実施の形態では、周波数解析によって得られる周波数分布には２つのピークが存在することが予見されることから、周波数解析に先立ってトレンチ干渉周期を予め予測し、得られた周波数分布において予測されたトレンチ干渉周期の近傍からトレンチ干渉周期を検出するのが好ましい。
【００５４】
窓３１は、タイミングＡから３０秒前までの重畳干渉波３０の波形を含むため、図４に示す周波数分布はタイミングＡから３０秒前までの重畳干渉波３０における周波数分布となる。したがって、図４に示す周波数分布から検出されたトレンチ干渉周期は、タイミングＡから３０秒前までの重畳干渉波３０におけるトレンチ干渉光の平均周期となるが、本実施の形態では、図４に示す周波数分布から検出されたトレンチ干渉周期を便宜的にタイミングＡにおけるトレンチ干渉周期とみなす。なお、本実施の形態では、後述するように重畳干渉波３０に対して複数の窓を設定し、各窓の波形の周波数分布から得られたトレンチ干渉周期を積算平均してトレンチ干渉周期の全体平均値を算出するため、窓３１におけるトレンチ干渉光の平均周期をタイミングＡにおけるトレンチ干渉周期とみなすことの弊害が解消される。
【００５５】
また、本実施の形態に係るエッチング量算出方法では、最初の所定期間（始点３２がエッチング開始時に該当し且つ終点３３がエッチング開始時から３０秒後に該当する窓３１に対応する）経過時からエッチング量を算出するタイミングまでの全期間におけるエッチングレートの平均値を算出し、該エッチングレートの平均値からエッチング量を算出する。
【００５６】
図５は、本実施の形態に係るエッチング量算出方法におけるエッチングレートの平均値の算出方法を説明するための図であり、エッチング開始後８０秒が経過した場合を示す。
【００５７】
図５では、重畳干渉波５０に対してΔｔ（所定時間）だけずらされたｎ個の窓Ｗｋ（ｋ＝１〜ｎ、ｎは自然数）が設定され、各窓Ｗｋにおいて周波数分布が求められ、各周波数分布からｎ個のトレンチ干渉周期ｆｋ（ｋ＝１〜ｎ、ｎは自然数）が検出される。
【００５８】
次いで、ｎ個のトレンチ干渉周期ｆｋが下記式（１）に基づいて積算平均されて
【００５９】
【数１】
0005026363.tif 000002
【００６０】
トレンチ干渉周期ｆａｖｅがエッチング開始後８０秒までのトレンチ干渉波の平均値として算出される。さらに測定波長（レーザ光源２６からのレーザ光の波長）をλとすると下記式（２）からエッチング開始後８０秒までのエッチングレートの平均値が算出される。エッチングレートの平均値  ＝  ｆａｖｅ×λ／２  …  （２）
次いで、下記式（３）からエッチング開始後８０秒までのエッチング量が算出される。エッチング量  ＝  エッチングレートの平均値×エッチング時間  …  （３）
本実施の形態に係るエッチング量算出方法において、或る窓Ｗｔ（ｔは１〜ｎのいずれかの自然数）における重畳干渉波５０に外乱が加わると、該窓Ｗｔから求められたトレンチ干渉周期ｆｔは異常値となるが、該トレンチ干渉周期ｆｔは他の窓Ｗｕ（ｕは１〜ｎのいずれかであって、ｔ以外の自然数）から求められたトレンチ干渉周期ｆｕと積算平均されるため、トレンチ干渉周期ｆｔが積算平均されたトレンチ干渉周期ｆａｖｅに及ぼす影響は小さい。
【００６１】
次に、本実施の形態に係るエッチング量算出方法について説明する。
【００６２】
図６は、本実施の形態に係るエッチング量算出方法を示すフローチャートである。
【００６３】
図６において、まず、基板処理装置１０がウエハＷの被エッチング層１３０のエッチングを開始した後、レーザ光源２６がレーザ光Ｌ１を光ファイバ２４、集光レンズ２３及びモニタ装置２１を介してウエハＷに向けて照射し（ステップＳ６１）（照射ステップ）、検出器２７がウエハＷからの反射光である重畳干渉光を光ファイバ２４等を介して受光する（ステップＳ６２）（受光ステップ）。
【００６４】
次いで、ステップＳ６３において、演算部２８は、現タイミングＴが予め設定されたエッチングの終了時間を過ぎているか否かを判別し、エッチングの終了時間を過ぎている場合（ステップＳ６３でＹＥＳ）には本処理を終了し、エッチングの終了時間を過ぎていない場合（ステップＳ６３でＮＯ）には、演算部２８は検出器２７によって受光された重畳干渉光に基づいてエッチング開始時から現タイミングＴまでの重畳干渉波を算出（更新）する（ステップＳ６４）（干渉波算出ステップ）。
【００６５】
次いで、演算部２８は、現タイミングＴを終点とする窓の波形を抽出し（ステップＳ６５）（波形抽出ステップ）、該抽出された窓の波形に最大エントロピー法を用いて周波数解析を施す（ステップＳ６６）（周波数解析ステップ）。ここで窓の始点から終点までの時間はマスク膜干渉波の１周期よりも長く設定されている。
【００６６】
その後、演算部２８は、周波数解析によって得られた周波数分布において、予め予測されたトレンチ干渉周期近傍におけるピークを示す周波数を、現タイミングＴにおけるトレンチ干渉周期として検出する（ステップＳ６７）（干渉周期検出ステップ）。
【００６７】
次いで、演算部２８は、今回検出された現タイミングＴにおけるトレンチ干渉周期と、最初の所定期間経過時から現タイミングＴまでの間に検出された各タイミングにおけるトレンチ干渉周期とを上記式（１）を用いて積算平均し（ステップＳ６８）（積算平均ステップ）、積算平均されたトレンチ干渉周期を、エッチング開始時から現タイミングＴまでの間における測定波長及びエッチング時間（エッチング開始時から現タイミングＴまでの時間）に基づき、上記式（２），（３）を用いてトレンチ１３２のエッチング量に換算する（ステップＳ６９）（エッチング量算出ステップ）。
【００６８】
その後、演算部２８は、現タイミングＴにΔｔを加えて現タイミングＴを更新する、すなわち、窓の終点をΔｔだけずらし（ステップＳ７０）、ステップＳ６３に戻る。
【００６９】
本実施の形態に係るエッチング量算出方法によれば、窓の終点をΔｔだけずらしつつ重畳干渉波の算出、重畳干渉波からの窓の波形の抽出、周波数解析及び現タイミングＴにおけるトレンチ干渉周期の検出を繰り返し、繰り返しの度に検出された現タイミングＴにおけるトレンチ干渉周期と、最初の所定期間経過時から現タイミングＴまでの間に検出された各タイミングにおけるトレンチ干渉周期とを積算平均し、該積算平均されたトレンチ干渉周期をトレンチ１３２のエッチング量に換算する。したがって、例え、抽出された或る窓の波形に外乱が加わる場合であっても、当該或る窓から求められた異常値であるトレンチ干渉周期は、他の窓から求められたトレンチ干渉周期と積算平均されるので、異常値であるトレンチ干渉周期が積算平均されたトレンチ干渉周期に及ぼす影響を小さくすることができ、もって、外乱が加わってもトレンチ１３２のエッチング量の算出を安定して正確に行うことができる。
【００７０】
また、本実施の形態に係るエッチング量算出方法では、上記窓の始点から終点までの時間はステップＳ６４で算出された重畳干渉波の１周期よりも大きいので、窓における重畳干渉波の周波数解析の信頼性を向上することができる。
【００７１】
さらに、本実施の形態に係るエッチング量算出方法では、周波数解析において最大エントロピー法を用いるので、窓の波形の数が少なくても周波数解析の信頼性を向上することができる。
【００７２】
また、本実施の形態に係るエッチング量算出方法では、トレンチ干渉周期を予め予測し、周波数解析によって得られた周波数分布において、予測されたトレンチ干渉周期近傍から現タイミングＴにおけるトレンチ干渉周期を検出するので、トレンチ干渉周期の検出を迅速に行うことができるとともに、トレンチ干渉周期として異常値が検出されるのを抑制することができる。
【００７３】
次に、本発明の第２の実施の形態に係るエッチング量算出方法について説明する。
【００７４】
本実施の形態は、その構成、作用が上述した第１の実施の形態と基本的に同じであるので、重複した構成、作用については説明を省略し、以下に異なる構成、作用についての説明を行う。
【００７５】
図７は、本実施の形態に係るエッチング量算出方法を示すフローチャートである。
【００７６】
図７において、まず、ステップＳ６１乃至Ｓ６７が実行され、次いで、ステップＳ７１において、演算部２８が、ステップＳ６７において現タイミングＴにおけるトレンチ干渉周期として検出されたトレンチ干渉周期は異常値（例えば、ステップＳ６６で得られた周波数分布における最大周波数又は最小周波数）に該当するか否かを判別する。
【００７７】
ステップＳ７１の判別の結果、現タイミングＴにおけるトレンチ干渉周期として検出されたトレンチ干渉周期が異常値に該当しない場合（ステップＳ７１でＮＯ）には、そのままステップＳ６８に進み、検出された干渉周期が異常値に該当する場合（ステップＳでＹＥＳ）には、現タイミングＴにおけるトレンチ干渉周期として検出されたトレンチ干渉周期を除去するとともに、現タイミングＴより１つ前のタイミングに対応する窓から検出されたトレンチ干渉周期を、現タイミングＴにおけるトレンチ干渉周期として設定することにより、トレンチ干渉周期を修正する（ステップＳ７２）（干渉周期修正ステップ）。
【００７８】
次いで、演算部２８は、ステップＳ６８乃至Ｓ７０を実行する。
【００７９】
本実施の形態に係るエッチング量算出方法によれば、現タイミングＴにおけるトレンチ干渉周期として検出されたトレンチ干渉周期が異常値に該当する場合には該検出されたトレンチ干渉周期を除去するとともに、現タイミングＴより１つ前のタイミングに対応する窓から検出されたトレンチ干渉周期を、現タイミングＴにおけるトレンチ干渉周期として設定するので、異常値に該当するトレンチ干渉周期の積算平均されたトレンチ干渉周期に対する影響を除去することができ、もって、外乱が加わってもトレンチ１３２のエッチング量の算出をより安定して正確に行うことができる。
【００８０】
上述した本実施の形態に係るエッチング量算出方法では、検出されたトレンチ干渉周期が異常値に該当する場合には、現タイミングＴより１つ前のタイミングに対応する窓から検出されたトレンチ干渉周期を、現タイミングＴにおけるトレンチ干渉周期として設定したが、現タイミングＴより１つ後のタイミングに対応する窓から検出されたトレンチ干渉周期を、現タイミングＴにおけるトレンチ干渉周期として設定してもよい。
【００８１】
次に、本発明の第３の実施の形態に係るエッチング量算出方法について説明する。
【００８２】
本実施の形態は、その構成、作用が上述した第１の実施の形態と基本的に同じであり、抽出された窓の波形に周波数解析を施す前に、該窓の波形に前処理を施す点において異なるのみであるので、重複した構成、作用については説明を省略し、以下に異なる構成、作用についての説明を行う。
【００８３】
ウエハＷの表面においてトレンチ１３２の開口部が占める割合の百分率（以下、「開口率」という。）が小さい場合、例えば、０．５％を下回る場合、トレンチ１３２の底からの反射光Ｌ４の絶対光量が少なくなるため、検出器２７が受光する重畳干渉光においてトレンチ干渉光が占める部分の割合が小さくなる。
【００８４】
図９は、開口率が変化した場合における重畳干渉波の一部の変化を示す図である。
【００８５】
図９に示すように、開口率が５％の場合、重畳干渉波では２種類の干渉波（マスク膜干渉波、トレンチ干渉波）が重畳されていることが明りょうであるが、開口率が０．５％の場合、反射光Ｌ４の絶対光量が少なくなり、重畳干渉波にはトレンチ干渉波の波形が殆ど現れない。このような現象は、ウエハＷの表面においてホールの開口部が占める割合が小さい場合やトレンチ（又はホール）のアスペクト比が大きい場合（例えば、トレンチ１３２がディープトレンチである場合）においても、トレンチやホールの底からの反射光の絶対光量が少なくなるため、起こりうる。
【００８６】
重畳干渉波にトレンチ干渉波の波形が殆ど現れない場合（開口率が０．５％の場合）、該重畳干渉波から窓３１の波形を抽出し、抽出された波形をそのまま周波数解析すると、得られる周波数分布においてトレンチ干渉波の周期（トレンチ干渉周期）のピークが小さくなる。
【００８７】
図１０は、開口率が変化した場合における窓の波形の周波数分布の変化を示す図である。
【００８８】
図１０に示すように、開口率が５％の場合、周波数分布において２つのピーク（トレンチ干渉波の周期（約０．８Ｈｚ）、マスク膜干渉波の周期（約０．１Ｈｚ））が明りょうに現れているが、開口率が０．５％の場合、周波数分布において１つのピーク（マスク膜干渉波の周期）のみが明りょうに現れてトレンチ干渉波の周期が殆ど現れていない。その結果、トレンチ干渉周期を正確に検出することができず、エッチレートを正確に算出することができない。
【００８９】
そこで、本実施の形態では、重畳干渉波から窓３１によって抽出された波形を周波数解析する前に、重畳干渉波からマスク膜干渉波が占める部分の殆どを除去する。
【００９０】
図１１は、開口率が０．５％の場合における重畳干渉波を示す図である。
【００９１】
図１１に示すように、開口率が０．５％の場合、図１１に示すように、重畳干渉波には周期の短いトレンチ干渉波が殆ど現れないため、重畳干渉波はほぼマスク膜干渉波によって占められている。したがって、重畳干渉波を近似した波形はマスク膜干渉波の波形とほぼ等しくなる。そこで、本実施の形態では、重畳干渉波から該重畳干渉波を近似した波形を除去する。これにより、重畳干渉波からマスク膜干渉波が占める部分の殆どを除去することができる。
【００９２】
また、図１１に示すように、マスク膜干渉波がほぼ占める重畳干渉波は正弦波に近く、正弦波の１／４周期以下の部分は二次多項式によって正確に近似することができる。そこで、本実施の形態では、重畳干渉波から窓３１の波形を抽出する際、マスク膜干渉波の１／４周期以下の部分を抽出する。
【００９３】
すなわち、本実施の形態では、図１２に示すように、マスク膜干渉波の１／４周期以下に相当するｎ個の窓Ｗｋ（ｋ＝１〜ｎ、ｎは自然数）をそれぞれΔｔだけずらして設定し、各窓Ｗｋの波形を抽出し、抽出した波形から該抽出した波形を二次多項式によって近似した波形を除去し、マスク膜干渉波が占める部分の殆どが除去された波形を得（図１３）、除去後の波形を周波数解析する。これにより、図１４に示すように、トレンチ干渉周期（約０．８Ｈｚ）のピークが明りょうに現れる周波数分布を得ることができる。なお、図１４の周波数分布においてマスク膜干渉波の周期（約０．１Ｈｚ）のピークが現れないのは、窓Ｗｋの波形からマスク膜干渉波が占める部分の殆どが除去されたためである。
【００９４】
図１５は、本実施の形態に係るエッチング量算出方法を示すフローチャートである。なお、本実施の形態に係るエッチング量算出方法は、開口率が小さい場合、例えば、該開口率が０．５％を下回る場合に実行される。
【００９５】
図１５において、まず、ステップＳ６１乃至Ｓ６４が実行され、次いで、演算部２８は、重畳干渉波における、現タイミングＴを終点とする１／４周期以下の部分を窓の波形として抽出する（ステップＳ６５）（波形抽出ステップ）。
【００９６】
次いで、演算部２８は、抽出された窓の波形を二次多項式によって近似した波形（以下、単に「近似波形」という。）を算出し（ステップＳ１５１）、抽出された窓の波形から該算出された近似波形を除去し（ステップＳ１５２）（解析前処理ステップ）、マスク膜干渉波が占める部分の殆どが除去された波形を得、近似波形除去後の波形を周波数解析する（ステップＳ１５３）。
【００９７】
次いで、演算部２８は、ステップＳ６７乃至Ｓ７０を実行する。
【００９８】
本実施の形態に係るエッチング量算出方法によれば、周波数解析に先立って抽出された窓の波形からマスク膜干渉波が占める部分の殆どが除去されるので、開口率が小さい場合、例えば、開口率が０．５％を下回る場合であっても、近似波形除去後の波形においてトレンチ干渉波が占める部分の割合を大きくすることができ、これにより、周波数解析によってトレンチ干渉周期のピークが明りょうに現れる周波数分布を得ることができる。その結果、トレンチ干渉波の周期を正確に算出することができる。なお、上述した本実施の形態に係るエッチング量算出方法は、マスク膜干渉光の波形の周期がトレンチ干渉光の干渉波の周期よりも長い場合にのみ用いることができる。
【００９９】
本実施の形態に係るエッチング量算出方法では、周波数解析に先立って抽出された窓の波形から、該抽出された窓の波形を二次多項式で近似した波形（近似波形）が除去される。開口率が小さい場合、重畳干渉波の波形はマスク膜干渉波とほぼ等しくなるので、近似波形もマスク膜干渉波とほぼ等しくなる。したがって、抽出された窓の波形からマスク膜干渉波が占める部分の殆どを確実に除去することができる。
【０１００】
また、本実施の形態に係るエッチング量算出方法では、マスク膜干渉波の１／４周期以下の部分を窓の波形として抽出する。重畳干渉波の殆どを占めるマスク膜干渉波は正弦波に近いので、マスク膜干渉波の１／４周期以下の部分を抽出すれば、該抽出された窓の波形は二次多項式によって正確に近似することができる。これにより、抽出された窓の波形からマスク膜干渉波が占める部分の殆どを正確に除去することができる。
【０１０１】
なお、本実施の形態における開口率が小さい場合は、ウエハＷの表面においてトレンチ１３２の開口部が占める割合が小さい場合だけでなく、ウエハＷの表面においてホールの開口部が占める割合が小さい場合やトレンチ（又はホール）のアスペクト比が大きい場合も該当する。
【０１０２】
上述した各実施の形態では、周波数解析において最大エントロピー法を用いたが、各窓内の干渉波形の数が多い場合には高速フーリエ変換法を用いてもよい。高速フーリエ変換法は最大エントロピー法よりも必要とする計算回数が少ないため、トレンチ１３２のエッチング量をより早く算出することができる。
【０１０３】
また、上述した各実施の形態に係るエッチング量算出方法を用いて或るトレンチのエッチング量（エッチング深さ）を算出する場合において、マスク膜１３１がレーザ光を透過させるような膜であるとき、図８に示すように、算出されたエッチング量（図中「モニター深さ」）と実測されたエッチング量（図中「エッチング深さ」）との間に誤差が生じる場合がある。これは、重畳干渉光が主として反射光Ｌ２及び反射光Ｌ４の干渉光ではなく、反射光Ｌ３及び反射光Ｌ４の干渉光を含み、反射光Ｌ３の光路長変化にマスク膜１３１の厚さ変化だけでなくマスク膜１３１の屈折率も影響するためであると考えられる。
【０１０４】
算出されたエッチング量と実測されたエッチング量との間に誤差が生じる場合には、エッチング量算出に先立ち、試験用のウエハＷを用いてトレンチ１３２のエッチング量（エッチングレート）を実測するとともに、上述した各実施の形態に係るエッチング量算出方法によってトレンチ１３２のエッチング量を算出し、実測されたエッチング量と算出されたエッチング量との回帰式等を求めるのが好ましい。そして、以後のエッチングにおいて、上述した各実施の形態に係るエッチング量算出方法によってトレンチ１３２のエッチング量を算出した後、該算出されたエッチング量を回帰式によって補正すればよい。
【０１０５】
上述した各実施の形態では、トレンチ１３２のエッチング量が算出されたが、図６、図７や図１５のエッチング量算出方法を実行してホールのエッチング量を算出してもよい。
【０１０６】
また、本発明の目的は、上述した各実施の形態の機能を実現するソフトウェアのプログラムコードを記録した記憶媒体を、コンピュータ（例えば、コントローラ２９）に供給し、コンピュータのＣＰＵが記憶媒体に格納されたプログラムコードを読み出して実行することによっても達成される。
【０１０７】
この場合、記憶媒体から読み出されたプログラムコード自体が上述した各実施の形態の機能を実現することになり、プログラムコード及びそのプログラムコードを記憶した記憶媒体は本発明を構成することになる。
【０１０８】
また、プログラムコードを供給するための記憶媒体としては、例えば、ＲＡＭ、ＮＶ−ＲＡＭ、フロッピー（登録商標）ディスク、ハードディスク、光磁気ディスク、ＣＤ−ＲＯＭ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）等の光ディスク、磁気テープ、不揮発性のメモリカード、他のＲＯＭ等の上記プログラムコードを記憶できるものであればよい。或いは、上記プログラムコードは、インターネット、商用ネットワーク、若しくはローカルエリアネットワーク等に接続される不図示の他のコンピュータやデータベース等からダウンロードすることによりコンピュータに供給されてもよい。
【０１０９】
また、コンピュータが読み出したプログラムコードを実行することにより、上記各実施の形態の機能が実現されるだけでなく、そのプログラムコードの指示に基づき、ＣＰＵ上で稼動しているＯＳ（オペレーティングシステム）等が実際の処理の一部又は全部を行い、その処理によって上述した各実施の形態の機能が実現される場合も含まれる。
【０１１０】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した各実施の形態の機能が実現される場合も含まれる。
【０１１１】
上記プログラムコードの形態は、オブジェクトコード、インタプリタにより実行されるプログラムコード、ＯＳに供給されるスクリプトデータ等の形態から成ってもよい。
【実施例】
【０１１２】
次に、本発明の実施例について説明する。
【０１１３】
実施例１
まず、シリコンからなる被エッチング層１３０上に酸化膜からなるレーザ光Ｌ１を透過させるマスク膜１３１が形成されたウエハＷを準備し、基板処理装置１０でエッチングにより被エッチング層１３０にディープトレンチ１３２を形成した。このときのエッチング条件は以下の通りであった。
実際のエッチングレート  ：  １２００ｎｍ／分
選択比  ：  １０対１（被エッチング層１３０対マスク膜１３１）
開口比  ：  ０．０５
測定波長（レーザ光Ｌ１の波長）  ：  ３００ｎｍ
サンプリングレート  ：  １０Ｈｚ
ディープトレンチ１３２のエッチングにおいて、窓の始点から終点までの時間を３０秒に設定し、図６のエッチング量算出方法を実行して各タイミングにおける積算平均されたトレンチ干渉周期を求め、該積算平均されたトレンチ干渉周期から各タイミングにおけるディープトレンチ１３２のエッチングレートを求めた。そして、求められたエッチングレートをグラフに示した（図１６参照。）。
【０１１４】
比較例１
また、上述したディープトレンチ１３２のエッチングにおいて、検出器２７によってウエハＷからの重畳干渉波を観測し、該重畳干渉波における短周期の干渉波を読み取り、該短周期の干渉波における各極値間の時間からトレンチ干渉周期を求め、該トレンチ干渉周期から各極値間におけるディープトレンチ１３２のエッチングレートを求めた。そして、求められたエッチングレートをグラフに示した（図１６参照。）。
【０１１５】
図１６のグラフより、実施例１のエッチングレートの方が、比較例１のエッチングレートよりも変動が小さく安定していることが分かった。
【０１１６】
さらに、実施例１のエッチング量における誤差と比較例１のエッチング量における誤差を時系列的にグラフへ示した（図１７参照。）。
【０１１７】
図１７のグラフより、実施例１のエッチング量の方が、比較例１のエッチング量よりも誤差が小さいことが分かった。これにより、図６のエッチング量算出方法はエッチング量の算出を正確に行えることが分かった。
【０１１８】
実施例２
次に、シリコンからなる被エッチング層１３０上に酸化膜からなるマスク膜１３１が形成されたウエハＷを準備し、基板処理装置１０でエッチングにより被エッチング層１３０にシャロートレンチ１３２を形成した。このときのエッチング条件は以下の通りであった。
実際のエッチングレート  ：  ３６０ｎｍ／分
選択比  ：  １０対１（被エッチング層１３０対マスク膜１３１）
開口比  ：  ０．２
測定波長（レーザ光Ｌ１の波長）  ：  ３００ｎｍ
サンプリングレート  ：  １０Ｈｚ
シャロートレンチ１３２のエッチングにおいて、窓の始点から終点までの時間を２５秒
に設定し、図６のエッチング量算出方法を実行して各タイミングにおけるシャロートレンチ１３２のエッチング量（エッチング深さ）を算出した。そして、算出されたエッチング量をグラフに示した（図１８参照。）。
【０１１９】
比較例２
また、上述したシャロートレンチ１３２のエッチングにおいて、検出器２７によってウエハＷからの重畳干渉波を観測し、エッチング開始時から各タイミングまでの全ての重畳干渉波から周波数解析によって周波数分布を得て、該周波数分布に基づいてエッチング開始時から各タイミングまでの間におけるトレンチ干渉周期を求め、該トレンチ干渉周期から各タイミングにおけるシャロートレンチ１３２のエッチング量（エッチング深さ）を算出した。すなわち、図３に示す窓を用いずに重畳干渉波からエッチング量を算出した。そして、算出されたエッチング量をグラフに示した（図１８参照。）。
【０１２０】
図１８のグラフでは、比較例２のエッチング量のデータが乱れているが、これは重畳干渉波に外乱が加わったためと考えられる。一方、実施例２のエッチング量のデータは乱れていなかった。実施例２と比較例２は乱れが加わった同じ重畳干渉波から求められたエッチング量であるため、これにより、図６のエッチング量算出方法は重畳干渉波に外乱が加わってもエッチング量の算出を安定して正確に行うことができることが分かった。
【０１２１】
実施例３
上述した実施例１，２とは他のウエハＷにおけるトレンチ１３２のエッチングにおいて、図６のエッチング量算出方法を実行して各タイミングにおけるトレンチ１３２のエッチングレートを求めた。そして、求められたエッチングレートをグラフに示した（図１９参照。）。
【０１２２】
比較例３
また、実施例３と同じエッチングにおいて、最大エントロピー法ではなく高速フーリエ変換法を用いた以外は図６のエッチング量算出方法と同じ条件のエッチング量算出方法を実行して各タイミングにおけるトレンチ１３２のエッチングレートを求めた。そして、求められたエッチングレートをグラフに示した（図１９参照。）。
【０１２３】
図１９のグラフより、実施例３のエッチングレートの方が、比較例３のエッチングレートよりも変動が小さく安定していることが分かった。これにより、最大エントロピー法を用いるとエッチング量の算出を安定して行えることが分かった。
【０１２４】
実施例４
まず、開口率が５％のウエハＷと開口率が０．５％のウエハＷを準備し、各ウエハＷの被エッチング層１３０をエッチングする際に、図１５のエッチング量算出方法を実行して各エッチングレートを求めた。そして、求められた各エッチングレートをグラフに示した（図２０参照。）。
【０１２５】
比較例４
実施例４と同様に、開口率が５％のウエハＷと開口率が０．５％のウエハＷを準備し、各ウエハＷの被エッチング層１３０をエッチングする際に、図６のエッチング量算出方法を実行して各エッチングレートを求めた。そして、求められた各エッチングレートをグラフに示した（図２１参照。）。
【０１２６】
図２０及び図２１のグラフを比較すると、図６のエッチング量算出方法を実行した場合、開口率が５％におけるエッチングレートは安定しているものの、開口率が０．５％におけるエッチングレートは安定していないのに対して、図１５のエッチング量算出方法を実行した場合、開口率が５％におけるエッチングレート及び開口率が０．５％におけるエッチングレートのいずれも安定していることが分かった。これにより、抽出された窓の波形を周波数解析する前に該抽出された窓の波形から該窓の波形の近似波形を除去すると、開口率が小さい場合でも正確にエッチングレートを求めることができることが分かった。
【図面の簡単な説明】
【０１２７】
【図１】本発明の第１の実施の形態に係るエッチング量算出方法が適用される基板処理装置の構成を概略的に示す断面図である。
【図２】トレンチのエッチングにおけるエッチングレートの低下を説明するための図である。
【図３】本実施の形態に係るエッチング量算出方法における重畳干渉波からの所定期間の波形の抽出を説明するための図である。
【図４】図３における窓の波形から最大エントロピー法を用いた周波数解析によって得られた周波数分布を示す図である。
【図５】本実施の形態に係るエッチング量算出方法におけるエッチングレートの平均値の算出方法を説明するための図である。
【図６】本実施の形態に係るエッチング量算出方法を示すフローチャートである。
【図７】本発明の第２の実施の形態に係るエッチング量算出方法を示すフローチャートである。
【図８】算出されたエッチング量と実測されたエッチング量との間における誤差を示す図である。
【図９】開口率が変化した場合における重畳干渉波の一部の変化を示す図である。
【図１０】開口率が変化した場合における窓の波形の周波数分布の変化を示す図である。
【図１１】開口率が０．５％の場合における重畳干渉波を示す図である。
【図１２】本発明の第３の実施の形態に係るエッチング量算出方法における窓の波形の抽出を説明するための図である。
【図１３】重畳干渉波からマスク膜干渉波が占める部分の殆どが除去された波形を示す図である。
【図１４】重畳干渉波からマスク膜干渉波が占める部分の殆どが除去された波形から周波数解析によって得られた周波数分布を示す図である。
【図１５】本実施の形態に係るエッチング量算出方法を示すフローチャートである。
【図１６】図６のエッチング量算出方法によって算出されたエッチングレートと干渉波における各極値間の時間から求められたエッチングレートとの比較図である。
【図１７】図６のエッチング量算出方法によって算出されたエッチング量及び実際のエッチング量の誤差と、干渉波における各極値間の時間から求められたエッチング量及び実際のエッチング量の誤差との比較図である。
【図１８】図６のエッチング量算出方法によって算出されたエッチング量と、エッチング開始時から各タイミングまでの重畳干渉波の周波数解析によって求められたエッチング量との比較図である。
【図１９】最大エントロピー法を用いて算出されたエッチングレートと高速フーリエ変換法を用いて算出されたエッチングレートとの比較図である。
【図２０】図１５のエッチング量算出方法を用いて得られた開口率が異なる各ウエハのエッチングレートを示す図である。
【図２１】図６のエッチング量算出方法を用いて得られた開口率が異なる各ウエハのエッチングレートを示す図である。
【図２２】エッチング中における光の干渉を説明するための図である。
【図２３】重畳干渉波を示す図である。
【図２４】干渉波における各極値間の時間から求められたエッチングレートを示す図である。
【図２５】外乱が加わった重畳干渉波を示す図である。
【図２６】重畳干渉波の周波数解析によって得られる周波数分布であり、図２６（Ａ）は重畳干渉波に外乱が加わっていない場合であり、図２６（Ｂ）は重畳干渉波に外乱が加わっている場合である。
【符号の説明】
【０１２８】
Ｌ１  レーザ光
Ｌ２、Ｌ３、Ｌ４  反射光
Ｗ  ウエハ
１０  基板処理装置
２５  エッチング量算出装置
２６  レーザ光源
２７  検出器
２８  演算部
３０、５０  重畳干渉波
３１  窓
１３０  被エッチング層
１３１  マスク膜
１３２  トレンチ
【図１】
0005026363.tif 000003
【図２】
0005026363.tif 000004
【図３】
0005026363.tif 000005
【図４】
0005026363.tif 000006
【図５】
0005026363.tif 000007
【図６】
0005026363.tif 000008
【図７】
0005026363.tif 000009
【図８】
0005026363.tif 000010
【図９】
0005026363.tif 000011
【図１０】
0005026363.tif 000012
【図１１】
0005026363.tif 000013
【図１２】
0005026363.tif 000014
【図１３】
0005026363.tif 000015
【図１４】
0005026363.tif 000016
【図１５】
0005026363.tif 000017
【図１６】
0005026363.tif 000018
【図１７】
0005026363.tif 000019
【図１８】
0005026363.tif 000020
【図１９】
0005026363.tif 000021
【図２０】
0005026363.tif 000022
【図２１】
0005026363.tif 000023
【図２２】
0005026363.tif 000024
【図２３】
0005026363.tif 000025
【図２４】
0005026363.tif 000026
【図２５】
0005026363.tif 000027
【図２６】
0005026363.tif 000028